(57)【要約】【課題】従来に比して車両の有効活用を図ることが可能な技術を提供する。【解決手段】情報処理装置１００の取得部１０３は、指示された特定オーナーの車両の貸し出し条件と貸し出し実績情報とを記憶部１０２から取得する。分析部１０４は、貸し出し基本条件の一部が共通する他のオーナーであって、車両の貸し出し実績が特定オーナーよりも多い他のオーナーの貸し出し実績情報を抽出する。生成部１０５は、分析部１０４による分析結果に基づき、特定オーナーの車両の貸し出し実績を向上させるための、貸し出し条件に関するリコメンド情報を生成する。出力部１０６は、生成部１０５によって生成された貸し出し条件に関するリコメンド情報を特定オーナーに通知する。【選択図】図２
2019185136.tif 000002
【特許請求の範囲】
【請求項１】
車両ごとに、各オーナーの貸し出し条件と貸し出し実績情報とを対応づけて格納する記憶部と、
あるオーナーの車両の貸し出し条件と貸し出し実績情報とを、前記記憶部から取得する取得部と、
取得した貸し出し条件の一部が共通する、他のオーナーの車両の貸し出し実績情報を抽出し、抽出した前記他のオーナーの貸し出し実績情報と、前記あるオーナーの貸し出し実績情報とを比較・分析する分析部と、
分析結果に基づき、前記あるオーナーの車両の貸し出し実績を向上させるための、貸し出し条件に関するリコメンド情報を生成する生成部と、
生成したリコメンド情報を、前記あるオーナーのオーナー端末に出力する出力部と
を具備する情報処理装置。
【請求項２】
前記記憶部には、前記各オーナーの貸し出し条件と前記貸し出し実績情報のほか、前記各オーナーによる車両の利用履歴情報がさらに対応づけて格納され、
前記取得部は、さらに、前記あるオーナーの車両の利用履歴情報を取得し、
前記生成部は、前記あるオーナーの車両の利用履歴情報を加味して、前記あるオーナーによる車両の利用傾向が考慮された、前記貸し出し条件に関するリコメンド情報を生成する、請求項１に記載の情報処理装置。
【請求項３】
前記利用履歴情報には、前記各オーナーが車両を利用した利用日時情報が含まれ、
前記生成部は、前記あるオーナーの車両の利用履歴情報に含まれる利用日時情報をもとに、前記あるオーナーが車両を利用すると推測される日時以外の日時において、前記車両の貸し出し実績を向上させるための、貸し出し条件に関するリコメンド情報を生成する、請求項２に記載の情報処理装置。
【請求項４】
車両ごとに、各オーナーの貸し出し条件と貸し出し実績情報とを対応づけて格納する記憶部を備えたコンピュータを、
あるオーナーの車両の貸し出し条件と貸し出し実績情報とを、前記記憶部から取得する取得部と、
取得した貸し出し条件の一部が共通する、他のオーナーの車両の貸し出し実績情報を抽出し、抽出した前記他のオーナーの貸し出し実績情報と、前記あるオーナーの貸し出し実績情報とを比較・分析する分析部と、
分析結果に基づき、前記あるオーナーの車両の貸し出し実績を向上させるための、貸し出し条件に関するリコメンド情報を生成する生成部と、
生成したリコメンド情報を、前記あるオーナーのオーナー端末に出力する出力部として機能させるためのカーシェアリングサービス用の制御プログラム。
【発明の詳細な説明】
【技術分野】
【０００１】
本発明は、情報処理装置及びカーシェアリングサービス用の制御プログラムに関する。
【背景技術】
【０００２】
現在、複数のユーザが１台の車両を共用することが可能なカーシェアリングと呼ばれるサービスが普及している。オーナーは、カーシェアリングサービス（以下、「ＣＳサービス」ともいう。）にオーナー登録を行った後、車両の貸し出し条件（例えば、車種や地域、利用可能な時間帯など）を設定する一方、ユーザは、ＣＳサービスにユーザ登録をおこなった後、車両の利用申し込みを含む車両の検索条件を設定する。ＣＳサービスを提供するシステムにおいては、オーナーによる車両の貸し出し条件とユーザによる車両の検索条件とが合致すると、合致した車両の情報をユーザの端末に通知する（例えば、特許文献１参照）。
【先行技術文献】
【特許文献】
【０００３】
【特許文献１】特開２００８−５２６６３号公報
【発明の概要】
【発明が解決しようとする課題】
【０００４】
上記システムによれば、いったんユーザによって車両の検索条件が登録されると、以後は、ユーザが頻繁にシステムにアクセスせずとも、自分が借りたい車両が自動で通知されるため、車両を検索する手間が簡素化され、ユーザの負担が軽減される。
その一方で、オーナーからすると、効率の良い車両の貸し出し条件とはどのような条件であるか、事前に把握できれば、これまで以上に車両の稼働率を上げることができると考えられるが、そのような方法は提案されていなかった。
【０００５】
本発明は、以上説明した事情を鑑みてなされたものであり、車両のオーナーに対し、貸し出し実績を向上させるための車両の貸し出し条件に関するリコメンド情報を通知することで、従来に比して車両の有効活用を図ることが可能な技術を提供することを目的とする。
【課題を解決するための手段】
【０００６】
本発明の一態様に係る情報処理装置は、車両ごとに、各オーナーの貸し出し条件と貸し出し実績情報とを対応づけて格納する記憶部と、あるオーナーの車両の貸し出し条件と貸し出し実績情報とを、記憶部から取得する取得部と、取得した貸し出し条件の一部が共通する、他のオーナーの車両の貸し出し実績情報を抽出し、抽出した他のオーナーの貸し出し実績情報と、あるオーナーの貸し出し実績情報とを比較・分析する分析部と、分析結果に基づき、あるオーナーの車両の貸し出し実績を向上させるための、貸し出し条件に関するリコメンド情報を生成する生成部と、生成したリコメンド情報を、あるオーナーのオーナー端末に出力する出力部とを具備することを要旨とする。
【発明の効果】
【０００７】
本発明によれば、車両のオーナーに対し、貸し出し実績を向上させるための車両の貸し出し条件に関するリコメンド情報を通知することで、従来に比して車両の有効活用を図ることが可能な技術を提供することができる。
【図面の簡単な説明】
【０００８】
【図１】実施形態に係るカーシェアリングシステムの構成例を示す図である。
【図２】情報処理装置の機能ブロック構成の一例を示す図である。
【図３】貸し出し条件ＤＢの具体例を示す図である。
【図４】利用希望条件ＤＢの具体例を示す図である。
【図５】貸し出し実績情報ＤＢの具体例を示す図である。
【図６】オーナー利用履歴情報ＤＢの具体例を示す図である。
【図７】リコメンド情報ＤＢの具体例を示す図である。
【図８】情報処理装置が行う処理手順の一例を示す図である。
【発明を実施するための形態】
【０００９】
添付図面を参照して、本発明の好適な実施形態について説明する。なお、各図において、同一の符号を付したものは、同一又は同様の構成を有する。
【００１０】
Ａ．本実施形態
＜システムの基本構成＞
図１は、実施形態に係るカーシェアリングシステム１の構成例を示す図である。カーシェアリングシステム１は、オーナー端末１０と、ユーザ端末２０と、車両３０、情報処理装置１００とを含む。車両３０には車載機３０ａが搭載されている。オーナー端末１０と、ユーザ端末２０と、車載機３０ａと、情報処理装置１００とは、通信ネットワークＮを介して相互に通信することができる。
【００１１】
＜ＣＳサービスの概略＞
カーシェアリングサービス（ＣＳサービス）の基本的な流れについて説明すると、車両を貸し出すオーナー（法人、個人を含む）は、オーナー端末１０を利用してオーナーの基本情報（名前、性別、年齢、住所、電話番号、ＳＮＳアカウント情報、振込口座など）を入力し、オーナー登録を行う。その後、オーナーは、オーナー端末１０を利用して車両の貸し出し条件（後述）を設定し、ユーザからの貸し出し依頼を待つ。一方、車両を借りたいユーザは、ユーザ端末２０を利用してユーザの基本情報（名前、性別、年齢、住所、電話番号、ＳＮＳアカウント情報、クレジットカード番号など）を入力し、ユーザ登録を行う。その後、ユーザは、ユーザ端末２０を利用して車両の利用希望条件（後述）を設定する。
【００１２】
情報処理装置１００は、オーナーによって設定された車両の貸し出し条件と、ユーザによって設定された車両の利用希望条件とを比較（突合）し、マッチング処理を行う。マッチングが成立すると、情報処理装置１００は、オーナー及びユーザに対してマッチングが成立した旨、及び車両の貸し出し（すなわちＣＳサービス）の利用手続きに関する情報を通知する。その後、実際に車両の貸し出しが行われると、情報処理装置１００は、オーナーに関して貸し出し実績をあらわす貸し出し実績情報を登録する。
【００１３】
貸し出し実績情報には、実際に貸し出しが行われたときの貸し出し条件などが含まれる。情報処理装置１００は、これまでに蓄積された各車両の貸し出し実績情報を分析（詳細は後述）することで、貸し出し実績を向上させるための貸し出し条件に関するリコメンド情報を生成し、これをオーナーのオーナー端末１０に通知する。オーナーは、リコメンド情報に従い、情報処理装置１００に登録されている貸し出し条件の修正等を行う。これにより、オーナーは車両の貸し出し実績を向上させることができ、従来に比して車両の有効活用を図ることが可能となる。
【００１４】
＜装置構成＞
オーナー端末１０は、車両を貸し出すオーナーが利用する端末であり、例えば、スマートフォン、タブレット端末、ウェアラブル端末、携帯端末又はノートパソコン等である。オーナー端末１０には、ＣＳサービスにオーナー登録するための画面や車両の貸し出し条件を設定するための画面が表示される。オーナーは、これら画面に従って各種情報を入力することで、オーナー登録手続き及び車両の貸し出し手続き等を行うことができる。
【００１５】
ユーザ端末２０は、車両を借りるユーザが利用する端末であり、例えば、スマートフォン、タブレット端末、ウェアラブル端末、携帯端末又はノートパソコン等である。ユーザ端末２０には、ＣＳサービスにユーザ登録するための画面や車両の利用希望条件を設定するための画面が表示される。ユーザは、これら画面に従って各種情報を入力することで、ユーザ登録手続き及び希望した車両を借りる手続き等を行うことができる。
【００１６】
車両３０は、ＣＳサービスに供される車両であり、各オーナーによって提供される。車両３０には、自家用車（オーナーが個人）及び企業所有（オーナーが法人）の自動車の両方を含む。車両３０は、車輪がついている乗り物であれば、いかなるものであってもよい。具体的には、企業がカーシェアリング用として貸し出す車両でもよいし、相乗り可能なタクシーでもよいし、個人所有の車両であってよい。車両３０は、自動車に限定されず、例えば、バスのように十数人から数十人が乗車可能な大型車両であってもよいし、自動二輪車や自動三輪車などであってもよい。車両３０は、ユーザがハンドルを握って運転する車両３０（以下、「手動運転車」ともいう。）であってもよいし、自動運転可能な車両３０（以下、「自動運転車」ともいう。）であってもよい。
【００１７】
車載機３０ａは、例えばカーナビゲーション装置などであり、情報処理装置１００との間で各種情報を授受することが可能となっている。車載機３０ａは、情報処理装置１００に対し、オーナーによる車両３０の利用履歴情報（具体的には、オーナーによる車両の利用日時や、走行エリアなど）を、定期または不定期に送信する。なお、車両３０が手動運転車である場合、カーナビゲーション装置などの車載機３０ａには、車両３０のオーナーが指定する返却場所が予め登録されていてもよい。一方、車両３０が自動運転車である場合、車載機３０ａには、情報処理装置１００から送信される指定場所に関する情報が送信されるほか、指定場所まで車両３０を自動運転するための制御情報などが送信される。
【００１８】
情報処理装置１００は、本実施形態に係るＣＳサービスを受ける前提として、オーナー登録やユーザ登録を受け付けるほか、オーナーから車両３０の貸し出し条件の設定を受け付けて、受け付けた貸し出し条件をデータベースに登録するとともに、ユーザから車両３０の利用希望条件の設定を受け付けて、受け付けた利用希望条件をデータベースに登録する。また、情報処理装置１００は、オーナーによって設定された車両３０の貸し出し条件と、ユーザによって設定された車両３０の利用希望条件とを比較（突合）することで、当該車両３０を貸し出すユーザの選択（すなわち、マッチング処理）を行う。さらに、情報処理装置１００は、オーナーによって実際に車両３０の貸し出しが行われると、オーナーに関して車両の貸し出し実績をあらわす貸し出し実績情報をデータベースに登録するとともに、各車載機３０ａから定期または不定期に送信される、オーナーによる車両３０の利用履歴をあらわす利用履歴情報をデータベースに登録する。また、情報処理装置１００は、これまでに蓄積された各車両の貸し出し実績情報を分析することで、貸し出し実績を向上させるための貸し出し条件に関するリコメンド情報を生成し、これをオーナー端末１０に通知する。なお、情報処理装置１００は、１又は複数の情報処理装置から構成されていてもよいし、クラウドサーバや仮想サーバを用いて構成されていてもよい。
【００１９】
＜機能ブロック構成＞
図２は、情報処理装置１００の機能ブロック構成の一例を示す図である。情報処理装置１００は、受付部１０１と、記憶部１０２と、取得部１０３と、分析部１０４と、生成部１０５と、出力部１０６とを含む。
【００２０】
受付部１０１と、取得部１０３と、分析部１０４と、生成部１０５と、出力部１０６とは、情報処理装置１００のＣＰＵが記憶部１０２に記憶されたプログラムを実行することにより実現することができる。また、当該プログラムは、記録媒体に格納することができる。当該プログラムを格納した記録媒体は、非一時的な記録媒体であってもよい。非一時的な記録媒体は特に限定されないが、例えば、ＵＳＢメモリ又はＣＤ−ＲＯＭ等の記録媒体であってもよい。また、記憶部１０２は、情報処理装置１００が備えるメモリ又は記憶装置を用いて実現することができる。
【００２１】
受付部１０１は、各オーナーから車両３０の貸し出し条件の設定を受け付けて、受け付けた貸し出し条件を記憶部１０２に格納する。また、受付部１０１は、各ユーザから車両３０の利用希望条件の設定を受け付けて、受け付けた利用希望条件を記憶部１０２に格納する。
【００２２】
記憶部１０２は、貸し出し条件データベース（ＤＢ）１０２ａと、利用希望条件データベース（ＤＢ）１０２ｂと、貸し出し実績情報データベース（ＤＢ）１０２ｃと、オーナー利用履歴情報データベース（ＤＢ）１０２ｄと、リコメンド情報データベース（ＤＢ）１０２ｅとを記憶する。以下、図３〜図７を参照しながら、各ＤＢの登録内容について説明する。
【００２３】
＜貸し出し条件ＤＢ１０２ａ＞
図３は、貸し出し条件ＤＢ１０２ａの具体例を示す図である。
図３に示すように、貸し出し条件ＤＢ１０２ａには、オーナーを一意に識別するためのオーナーＩＤ（例えば、オーナーの名前）と、貸し出し条件とが対応づけて登録されている。
【００２４】
貸し出し条件は、貸し出し基本条件と貸し出し詳細条件とを含んで構成される。
貸し出し基本条件には、少なくとも車種が含まれている。図３では、貸し出し基本条件の一例として、車両３０を一意に識別するための車両ＩＤ（例えば、車両のナンバ）や、車種やメーカー、乗車定員などをあらわす情報が含まれている場合を例示している。貸し出し詳細条件には、アピール情報、利用予定時間情報、返却場所情報が含まれている。アピール情報は、オーナーの車両３０に対するこだわり（例えば、「素晴らしい加速を・・・」）をあらわす情報である。利用予定時間情報は、オーナーによる車両３０の利用時間（別言すれば、ユーザへの貸し出しが禁止される時間）をあらわす情報である。返却場所情報は、オーナーが指定する車両３０の返却場所をあらわす情報である。
【００２５】
図３の例では、例えばオーナーＩＤが「Ｃ１（個人）」のオーナーは、貸し出し基本条件として、「Ｍ０１」の車両ＩＤを有する定員「６名」の車種「ＸＸＸ」を設定するとともに、貸し出し詳細条件として、「３０年前のエンジン音を・・・」といったアピール情報、「祝日、週末のみ」利用する予定であるといった利用予定時間情報、「東京都Ａ区・・・」といった返却場所情報を設定している。なお、オーナーは、返却場所情報として、自宅や最寄駅、自宅周辺の駐車場などを設定してもよいが、他の場所（例えば有名観光地など）を設定してもよいのはもちろんである。
【００２６】
＜利用希望条件ＤＢ１０２ｂ＞
図４は、利用希望条件ＤＢ１０２ｂの具体例を示す図である。
図４に示すように、利用希望条件ＤＢ１０２ｂには、ユーザを一意に識別するためのユーザＩＤ（例えば、ユーザの名前）と、利用希望条件とが対応づけて登録されている。
利用希望条件には、ユーザが指定したカーシェアリングの利用方法や、乗車地点、降車地点、さらには乗車日時や降車日時、オプション条件などが設定される。具体的には、カーシェアリングの利用方法として、ラウンドトリップ型のカーシェアリング又はワンウェイ型のカーシェアリングのうちいずれか一方が設定され、乗車地点として、ユーザが車両３０への乗車を希望する地点を示す情報（住所や緯度経度等）が設定され、降車地点として、ユーザが車両３０からの降車を希望する地点を示す情報（住所や緯度経度等）が設定される。さらに、乗車日時として、ユーザが乗車地点を出発することを希望する日時が設定され、降車日時として、ユーザが降車地点に到着することを希望する日時が設定される。その他、ユーザがＣＳサービスを利用するうえで、できれば満たしてほしいオプション条件が設定される。
【００２７】
図４の例では、例えばユーザＩＤが「Ｕ０１」のユーザは、「ワンウェイ型」のカーシェアリングを利用することで、「１月１５日（月）の８：００」に「東京都Ａ区・・・」で乗車し、「１月１５日（月）の２０：００」に「神奈川県横浜市Ｂ区・・・」で降車（この場合は、いわゆる乗り捨て）したい、できれば「禁煙車希望、６人乗り以上・・・」であることを希望する、との利用希望条件を設定している。また、ユーザＩＤが「Ｕ０２」のユーザは、「ラウンドトリップ型」のカーシェアリングを利用することで、１月１６日（火）の６：００」に「神奈川県横浜市Ｂ区・・・」で乗車し、「１月１８日（木）の１６：００」に乗車した場所、すなわち「神奈川県横浜市Ｂ区・・・」で降車したい、できれば「５０００円／日以下・・・」であることを希望する、との利用希望条件を設定している。
【００２８】
なお、「出発日時」には、ユーザが希望しない場合は日付及び時刻の全部又は一部が省略されていてもよい。例えば、あるユーザは、「３月２０日」に「愛知県名古屋市・・・」で乗車できるのであれば、乗車する時刻については特に希望が無い（何時に出発してもよい）、といった設定を行うことも可能である。
【００２９】
＜貸し出し実績情報ＤＢ１０２ｃ＞
図５は、貸し出し実績情報ＤＢ１０２ｃの具体例を示す図である。
図５に示すように、貸し出し実績情報ＤＢ１０２ｃには、オーナーを一意に識別するためのオーナーＩＤ（例えば、オーナーの名前）と、貸し出し実績情報とが対応づけて登録されている。
【００３０】
貸し出し実績情報には、実際に車両３０の貸し出しが行われたときの貸し出し条件やオーナー登録してからの期間（実績期間）、オーナー登録してから現在までの貸し出し回数（実績回数）が含まれている。図５の例では、例えばオーナーＩＤが「Ｃ１（個人）」のオーナーは、以下に示す貸し出し条件１において、オーナー登録してから「６か月」が経過しており、これまでに「８０回」の貸し出し実績があることを示す。
（貸し出し条件１）
貸し出し基本条件；「Ｍ０１」の車両ＩＤを有する定員「６名」の車種「ＸＸＸ」
貸し出し詳細条件；「メンテナンスはバッチリ、○×までガソリン無料・・・」といったアピール情報、「祝日、週末のみ」利用する予定であるといった利用予定時間情報、「東京都Ａ区・・・」といった返却場所情報
【００３１】
一方、オーナーＩＤが「Ｃ４（個人）」のオーナーは、以下に示す貸し出し条件４において、オーナー登録してから「１年」が経過しているにもかかわらず、これまでに「１回」の貸し出し実績しかないことを示す。
（貸し出し条件４）
貸し出し基本条件；「Ｍ０４」の車両ＩＤを有する定員「６名」の車種「ＹＹＹ」
貸し出し詳細条件；「特になし」といったアピール情報、「月、火、木、土」に利用する予定であるといった利用予定時間情報、「東京都Ａ区・・・」といった返却場所情報
【００３２】
＜オーナー利用履歴情報ＤＢ１０２ｄ＞
図６は、オーナー利用履歴情報ＤＢ１０２ｄの具体例を示す図である。
図６に示すように、オーナー利用履歴情報ＤＢ１０２ｄには、オーナーを一意に識別するためのオーナーＩＤ（例えば、オーナーの名前）と、オーナーが実際に車両３０を利用したときの利用履歴をあらわす利用履歴情報とが対応づけて登録されている。利用履歴情報は、各車載機３０ａから通信ネットワークＮを介して定期または不定期に送信される。
【００３３】
利用履歴情報には、車両ＩＤと、走行距離、走行エリア、走行速度などをあらわす走行情報と、車両３０の利用日時をあらわす利用日時情報などが含まれている。
【００３４】
図６の例では、例えばオーナーＩＤが「Ｃ１（個人）」のオーナーは、「Ｍ０１」の車両ＩＤの車両について、「横浜から伊豆」まで、「１５０ｋｍ」走行し、そのときの平均速度は「時速６５ｋｍ」であったという走行情報や、「２月１５日（木）８：００から２月１６日（金）の１５：００まで」車両３０を利用したといった利用日時情報が、利用履歴情報として登録されている。
【００３５】
＜リコメンド情報ＤＢ１０２ｅ＞
図７は、リコメンド情報ＤＢ１０２ｅの具体例を示す図である。
図７に示すように、リコメンド情報ＤＢ１０２ｅには、貸し出し実績を向上させるための貸し出し条件に関するリコメンド情報が登録されている。リコメンド情報は、これまでに蓄積された各車両の貸し出し実績情報の分析結果に基づいて作成される。図７の例では、車種が「ＸＸＸ」である車両については、「メンテナンスが良い」、「ガソリン無料」、「１日当たり５０００円以下」、のいずれか１つ以上の条件を含むように、貸し出し詳細条件の設定を見直すべき旨のリコメンド情報Ａが設定されている。また、車種が「ＹＹＹ」である車両については、「東京都港区・・・」、「平日の６:００〜２３:００まで貸し出しＯＫ」、「ワンウェイ型、ラウンドトリップ型のいずれも対応可能」のいずれか１つ以上の条件を含むように、貸し出し詳細条件の設定を見直すべき旨のリコメンド情報Ｂが設定されている。
【００３６】
取得部１０３は、指示された特定オーナーの車両の貸し出し条件と貸し出し実績情報とを記憶部１０２から取得する。特定オーナーの指示は、例えば特定のオーナーが、オーナー端末１０を適宜操作して送信してもよいが、情報処理装置１００がランダムに特定オーナーを指示するようにしてもよい。
【００３７】
分析部１０４は、取得部１０３によって取得された特定オーナーの貸し出し条件を検索キーとして貸し出し実績情報ＤＢ１０２ｃを検索することで、貸し出し基本条件の一部が共通する他のオーナーであって、車両の貸し出し実績が特定オーナーよりも多い他のオーナーの貸し出し実績情報を抽出する。そして、分析部１０４は、抽出した他のオーナーの貸し出し実績情報と、取得部１０３によって取得された特定オーナーの貸し出し実績情報とを比較・分析する。本実施形態では、共通する貸し出し基本条件の一部として「車種」（「ＸＸＸ」など）を想定するが、例えば、「定員」（「６名」など）と「車種」（「ＸＸＸ」など）の組み合わせなどであってもよい。
【００３８】
生成部１０５は、分析部１０４による分析結果に基づき、特定オーナーの車両の貸し出し実績を向上させるための、貸し出し条件に関するリコメンド情報を生成する。
【００３９】
出力部１０６は、生成部１０５によって生成された貸し出し条件に関するリコメンド情報を特定オーナーに通知する。なお、リコメンド情報の通知対象は、特定オーナーに限る趣旨ではなく、特定オーナーと貸し出し基本条件の一部が共通する全てのオーナー（または一部のオーナー）を対象としてもよい。もっとも、特定オーナーと貸し出し基本条件の一部が共通しないオーナーに対しても、参考情報としてリコメンド情報を通知してもよい。
【００４０】
以下、分析部１０４による車両の貸し出し実績情報の比較・分析から生成部１０５によるリコメンド情報の生成、出力部１０６によるリコメンド情報の通知までの流れについて、図５等を参照しながら説明する。
【００４１】
なお、以下の説明では、オーナー（オーナーＩＤ；「Ｃ４（個人）」）が特定オーナーとして指定され、オーナー（オーナーＩＤ；「Ｃ１（個人）」）が比較対象となる他のオーナーとして選択されている場合を想定する。また、特定オーナー（オーナーＩＤ；「Ｃ４（個人）」）については、以下に示す貸し出し条件４において、オーナー登録してから「１年」が経過しているにもかかわらず、これまでに「１回」の貸し出し実績しかない旨の貸し出し実績情報が登録されている場合を想定する（図５参照）。
（貸し出し条件４）
貸し出し基本条件；「Ｍ０４」の車両ＩＤを有する定員「６名」の車種「ＸＸＸ」
貸し出し詳細条件；「特になし」といったアピール情報、「月、火、木、土」に利用する予定であるといった利用予定時間情報、「東京都Ａ区・・・」といった返却場所情報
【００４２】
一方、他のオーナー（オーナーＩＤ；「Ｃ１（個人）」）については、以下に示す貸し出し条件１において、オーナー登録してから「６か月」が経過しており、これまでに「８０回」の貸し出し実績がある旨の貸し出し実績情報が登録されている場合を想定する（図５参照）。
（貸し出し条件１）
貸し出し基本条件；「Ｍ０１」の車両ＩＤを有する定員「６名」の車種「ＸＸＸ」
貸し出し詳細条件；「メンテナンスはバッチリ、○×までガソリン無料・・・」といったアピール情報、「祝日、週末のみ」利用する予定であるといった利用予定時間情報、「東京都Ａ区・・・」といった返却場所情報
【００４３】
分析部１０４は、まず、特定オーナーの貸し出し条件の一部に含まれる車種「ＸＸＸ」を抽出すると、車種「ＸＸＸ」を検索キーとして貸し出し実績情報ＤＢ１０２ｃを検索することで、貸し出し基本条件の一部が共通する他のオーナーであって、車両の貸し出し実績が特定オーナーよりも多い他のオーナーの貸し出し実績情報を抽出する。本実施形態では、他のオーナーとして、オーナーＩＤが「Ｃ１（個人）」のオーナーを１名抽出しているが、複数名のオーナーを抽出してもよいのはもちろんである。そして、分析部１０４は、抽出した他のオーナーの貸し出し実績情報１と、取得部１０３によって取得された特定オーナーの貸し出し実績情報４とを比較・分析し、分析結果を生成部１０５に出力する。
【００４４】
具体的には、他のオーナー（オーナーＩＤ；「Ｃ１（個人）」）の貸し出し実績情報１には、「メンテナンスが良い」、「ガソリン無料」といったアピール情報が貸し出し詳細条件の一部として含まれているのに対し、特定オーナー（オーナーＩＤ；「Ｃ４（個人）」）の貸し出し実績情報４には、貸し出し詳細条件の一部として「特になし」といったアピール情報しか含まれていない。分析部１０４は、このような分析結果を生成部１０５に出力する。
【００４５】
生成部１０５は、分析部１０４から供給される分析結果を受け、特定オーナーについては、貸し出し詳細条件として、「メンテナンスが良い」、「ガソリン無料」のいずれか１つ以上の条件を含むように、貸し出し詳細条件の設定を見直すべき旨のリコメンド情報を生成し、出力部１０６に供給する。出力部１０６は、生成部１０５から供給された貸し出し条件に関するリコメンド情報を特定オーナーのオーナー端末１０に通知する。特定オーナーは、オーナー端末１０に通知されるリコメンド情報を確認し、貸し出し詳細条件の設定等を修正する。これにより、特定オーナーは車両の貸し出し実績を向上させることができ、従来に比して車両の有効活用を図ることが可能となる。
【００４６】
＜処理手順＞
図８は、情報処理装置１００が行う処理手順の一例を示す図である。
【００４７】
ステップＳ１０１で、取得部１０３は、指示された特定オーナーの車両の貸し出し条件と貸し出し実績情報とを記憶部１０２から取得する。既に説明したように、特定オーナーの指示は、例えば特定のオーナーが、オーナー端末１０を適宜操作することで実現できるが、これに限る趣旨ではない。
【００４８】
ステップＳ１０２で、分析部１０４は、取得部１０３によって取得された特定オーナーの貸し出し条件を検索キーとして貸し出し実績情報ＤＢ１０２ｃを検索することで、貸し出し基本条件の一部が共通する他のオーナーであって、車両の貸し出し実績が特定オーナーよりも多い他のオーナーの貸し出し実績情報を抽出する。
【００４９】
ステップＳ１０３で、分析部１０４は、抽出した他のオーナーの貸し出し実績情報と、取得部１０３によって取得された特定オーナーの貸し出し実績情報とを比較・分析する。なお、具体的な比較・分析方法については、既に図５等を参照してその詳細を明らかにしたため、ここでは説明を割愛する。
【００５０】
ステップＳ１０４で、生成部１０５は、分析部１０４による分析結果に基づき、特定オーナーの車両の貸し出し実績を向上させるための、貸し出し条件に関するリコメンド情報を生成する。
【００５１】
ステップＳ１０５で、出力部１０６は、生成部１０５によって生成された貸し出し条件に関するリコメンド情報を特定オーナーのオーナー端末１０に通知し、処理を終了する。なお、既に説明したように、リコメンド情報の通知対象は、特定オーナーに限る趣旨ではなく、特定オーナーと貸し出し基本条件の一部が共通する全てのオーナー（または一部のオーナー）を対象としてもよい。通知を受けた各オーナーは、リコメンド情報に従い、情報処理装置１００に登録されている貸し出し条件の修正等を行う。
【００５２】
以上説明したように、本実施形態によれば、情報処理装置１００は、これまでに蓄積された各オーナーの貸し出し実績情報を分析し、分析結果に基づき、貸し出し実績を向上させるための貸し出し条件に関するリコメンド情報を生成し、これをオーナー端末１０に通知する。オーナーは、リコメンド情報に従い、情報処理装置１００に登録されている貸し出し条件の修正等を行う。これにより、オーナーは車両の貸し出し実績を向上させることができ、従来に比して車両の有効活用を図ることが可能となる。
【００５３】
Ｂ．変形例
上述したリコメンド情報は、一種類に限る趣旨ではなく、複数種類のリコメンド情報であってもよい。例えば「ガソリン無料」を内容とする第１リコメンド情報では、特定オーナーが対応できない場合（または対応したくない場合）が考えられる。このような場合には、他の条件を次候補として選択できるように、第２リコメンド情報（例えば、「ペット（大型犬を除く）の同乗可能」とする内容）や、第３リコメンド情報（例えば、「２４時間以内に返却できる方は１０００円ＯＦＦ」とする内容）などをオーナー端末１０に通知してもよい。
また、上記実施形態では特に言及しなかったが、オーナーによる車両の利用実績を加味して、貸し出し条件に関するリコメンド情報を生成してもよい。
詳述すると、取得部１０３は、記憶部１０２から、特定オーナーの車両の貸し出し条件と貸し出し実績情報に加えて、特定オーナーの利用履歴情報（図６参照）を取得する。一方、生成部１０５は、分析部１０４の分析結果だけでなく、取得部１０３によって取得された特定オーナーの利用履歴情報を加味することで、特定オーナーによる車両の利用履歴（すなわち利用傾向）が考慮された、貸し出し条件に関するリコメンド情報を生成する。
【００５４】
例えば、利用履歴情報に含まれる利用日時情報から、特定オーナーは、「休日は自身が車を利用する傾向あり」といった傾向が見出せる場合には、生成部１０５は、特定オーナーの利用を阻害させないように、特定オーナーが車両を利用すると推測される日時以外の日時において、貸し出し実績が向上するようなリコメンド情報を生成する。これにより、特定オーナーは、自分の生活パターン等（車両の利用頻度や走行エリアなど）を変えることなく、貸し出し実績の向上を図ることが可能となる。別言すれば、特定オーナーは、貸し出し実績の向上を求めすぎたために、自分の車両を思い通りに利用できなくなる、といった問題を未然に防ぐことが可能となる。
【００５５】
Ｃ．その他
本明細書において、「部」とは、単に物理的構成を意味するものではなく、その「部」が実行する処理をソフトウェアによって実現する場合も含む。また、１つの「部」や装置が実行する処理を２つ以上の物理的構成や装置により実現されても、２つ以上の「部」や装置が実行する処理を１つの物理的手段や装置により実現されてもよい。
【００５６】
また、本明細書において上述した各処理におけるステップは、処理内容に矛盾を生じない範囲で任意に順番を変更し、または並列に実行することができる。
【符号の説明】
【００５７】
１…カーシェアリングシステム、１０…オーナー端末、２０…ユーザ端末、３０…車両、３０ａ…車載機、１００…情報処理装置、１０１…受付部、１０２…記憶部、１０２ａ…貸し出し条件ＤＢ、１０２ｂ…利用希望条件ＤＢ、１０２ｃ…貸し出し実績情報ＤＢ、１０２ｄ…オーナー利用履歴ＤＢ、１０２ｅ…リコメンド情報ＤＢ、１０３…取得部、１０４…分析部、１０５…生成部、１０６…出力部。
【図１】
2019185136.tif 000003
【図２】
2019185136.tif 000004
【図３】
2019185136.tif 000005
【図４】
2019185136.tif 000006
【図５】
2019185136.tif 000007
【図６】
2019185136.tif 000008
【図７】
2019185136.tif 000009
【図８】
2019185136.tif 000010